(57)【要約】【課題】ネジ止めの必要がなく作業性に優れるとともに、一つの取付部材によってアダプタを基板に取付けることができるアダプタ取付構造を提供する。【解決手段】アダプタ２を、アダプタ２を保持するためのアダプタ保持部材３に取付けるためのアダプタ取付構造であって、前記アダプタ２には、前記アダプタ保持部材３に保持される取付鍔部７を形成し、前記アダプタ保持部材３には、アダプタ２に取付けられるコネクタの挿入方向に対して垂直となる方向に、前記アダプタ２をスライドさせて挿入するためのスライド挿入部９を形成した。【選択図】図２
2015040932.tif 000002
【特許請求の範囲】
【請求項１】
アダプタを、該アダプタを保持するためのアダプタ保持部材に取付けるためのアダプタ取付構造であって、前記アダプタには、前記アダプタ保持部材に保持される取付鍔部を形成し、前記アダプタ保持部材には、該アダプタに取付けられるコネクタの挿入方向に対して垂直となる方向に、前記アダプタをスライドさせて挿入するためのスライド挿入部を形成したことを特徴とするアダプタ取付構造。
【請求項２】
前記スライド挿入部は、該取付鍔部を案内する溝部と、前記取付鍔部の前面と後面とを保持する立上辺と、前記取付鍔部の一側面を保持する立上止め辺とからなり、該スライド挿入部を、該アダプタ保持部材の内周面の上面および下面に、上下対称となる位置に形成したことを特徴とする請求項１記載のアダプタ取付構造。
【請求項３】
前記溝部に隣接して、前記溝部に挿入された該取付鍔部の他側面を保持するとともに、該取付鍔部の抜け止めのためのストッパとしての撓み部を、該アダプタ保持部材に形成したことを特徴とする請求項２記載のアダプタ取付構造。
【請求項４】
前記撓み部は、前後方向または上下方向に撓むものとし、前後方向に突出形成した可動保持部によって、該取付鍔部の他側面を保持することを特徴とする請求項３記載のアダプタ取付構造。
【請求項５】
複数のアダプタ保持部材を垂直方向または水平後方に係合可能とする係合部を、該アダプタ保持部材の外面に形成したことを特徴とする請求項１記載のアダプタ取付構造。
【請求項６】
前記スライド挿入部の形成数を、該アダプタの取付方向により異なるものとしたことを特徴とする請求項１記載のアダプタ取付構造。
【発明の詳細な説明】
【技術分野】
【０００１】
本発明は、光ファイバコードのコネクタを接続するためのアダプタの取付構造に関するものである。
【背景技術】
【０００２】
従来のアダプタとしては、特許文献１のようにアダプタ本体に形成した取付鍔部を取付パネルに当接させ、ネジ止めによってアダプタを取付パネルに固定する方法が知られている。その他にも、特許文献２のように、アダプタ本体に形成した取付鍔部を、前記アダプタ本体を保持するためのアダプタ保持部材と取付パネルとの間に挟持するとともに、このアダプタ保持部材に形成した爪部によって取付パネルの取付孔に係止させることにより、ネジ止めすることなくワンタッチでアダプタを取付パネルに取付ける構造が用いられている。
【０００３】
しかしながら、ネジ止めによりアダプタを固定する場合は、取付工具が必要となり作業性に優れない点が問題であり、また従来のアダプタ保持部材を用いてアダプタを基板に取付けるためには、アダプタ保持部材と取付パネルの両取付部材が必要であり、コストがかかる点が問題とされている。
【先行技術文献】
【特許文献】
【０００４】
【特許文献１】特開２０００−２４１６９１号公報
【特許文献２】特開２００９−１０９７３０号公報
【発明の概要】
【発明が解決しようとする課題】
【０００５】
本発明の目的は前記した従来の問題点を解決し、ネジ止めの必要がなく作業性に優れるとともに、一つの取付部材によってアダプタを基板に取付けることができるアダプタ取付構造を提供することである。
【課題を解決するための手段】
【０００６】
上記課題を解決するためになされた本発明は、アダプタを、該アダプタを保持するためのアダプタ保持部材に取付けるためのアダプタ取付構造であって、前記アダプタには、前記アダプタ保持部材に保持される取付鍔部を形成し、前記アダプタ保持部材には、該アダプタに取付けられるコネクタの挿入方向に対して垂直となる方向に、前記アダプタをスライドさせて挿入するためのスライド挿入部を形成したことを特徴とするものである。
【０００７】
請求項２記載の発明は、請求項１記載のアダプタ取付構造において、前記スライド挿入部は、該取付鍔部を案内する溝部と、前記取付鍔部の前面と後面とを保持する立上辺と、前記取付鍔部の一側面を保持する立上止め辺とからなり、該スライド挿入部を、該アダプタ保持部材の内周面の上面および下面に、上下対称となる位置に形成したことを特徴とするものである。
【０００８】
請求項３記載の発明は、請求項２記載のアダプタ取付構造において、前記溝部に隣接して、前記溝部に挿入された該取付鍔部の他側面を保持するとともに、該取付鍔部の抜け止めのためのストッパとしての撓み部を、該アダプタ保持部材に形成したことを特徴とするものである。
【０００９】
請求項４記載の発明は、請求項３記載のアダプタ取付構造において、前記撓み部は、前後方向または上下方向に撓むものとし、前後方向に突出形成した可動保持部によって、該取付鍔部の他側面を保持することを特徴とするものである。
【００１０】
請求項５記載の発明は、請求項１記載のアダプタ取付構造において、複数のアダプタ保持部材を垂直方向または水平後方に係合可能とする係合部を、該アダプタ保持部材の外面に形成したことを特徴とするものである。
【００１１】
請求項６記載の発明は、請求項１記載のアダプタ取付構造において、前記スライド挿入部の形成数を、該アダプタの取付方向により異なるものとしたことを特徴とするものである。
【発明の効果】
【００１２】
本発明に係るアダプタ取付構造は、アダプタを保持するためのアダプタ保持部材に、アダプタに取付けられるコネクタの挿入方向に対し垂直となる方向に、アダプタをスライドさせて挿入するためのスライド挿入部を形成したものである。これにより、コネクタの抜き差し作業によってアダプタがアダプタ保持部材から外れることがなくなり、また、固定用のネジを使用することなくアダプタを基板に取付けることが可能となるため作業性が向上する。さらに、取付パネルが不要であることから取付部材の点数が減り、コストダウンが可能となる。
【００１３】
請求項２に係る発明によれば、アダプタ保持部材のスライド挿入部を、取付鍔部を案内する溝部と、取付鍔部の前面と後面とを保持する立上辺と、取付鍔部の一側面を保持する立上止め辺とからなるものとし、スライド挿入部を、アダプタ保持部材の内周面の上面と下面とに上下対称に形成した。これにより、取付鍔部の高さが低い場合であっても、取付鍔部を溝部にスライド挿入することで、前記スライド挿入部に形成された２つの立上辺によってアダプタを確実に保持することが可能となる。
【００１４】
また、請求項３および請求項４に係る発明によれば、溝部に隣接する位置に、溝部に挿入された取付鍔部のストッパとしての撓み部をアダプタ保持部材に形成し、さらに前記撓み部を前後方向または上下方向に撓むものとし、撓み部の端部に突出形成した可動保持部によって、取付鍔部の他側面を保持するものとした。したがって、２つの立上辺と、立上止め辺と、可動保持部とによって取付鍔部を保持することとなり、これによって、取付鍔部の前面と、後面と、両側面との計４面を保持することが可能となり、より強固にアダプタをアダプタ保持部材に固定することができる。
【００１５】
請求項５に係る発明によれば、複数のアダプタ保持部材を垂直方向または水平後方に係合可能とする係合部を、アダプタ保持部材の外面に形成するものとした。これにより、アダプタを増設する際には、専用の増設部材を用いることなくアダプタ保持部材のみを複数連結させることにより増設することが可能となる。
【００１６】
請求項６に係る発明によれば、スライド挿入部の形成数を、アダプタの取付方向によって異なるものとしたことにより、１つのアダプタ保持部材によって２種類のアダプタ取付数およびアダプタ取付間隔を再現することが可能となる。
【図面の簡単な説明】
【００１７】
【図１】本発明の実施形態を示す斜視図である。
【図２】本発明の実施形態の要部を示す斜視図である。
【図３】本発明の実施形態のアダプタ保持部材の内周下面を示す図である。
【図４】本発明の実施形態のアダプタ挿入時を示す斜視図である。
【図５】図４のＡ−Ａ断面図である。
【図６】本発明の実施形態のアダプタ挿入後を示す斜視図である。
【図７】図６のＢ−Ｂ断面図である。
【図８】本発明の実施形態の要部を示す水平断面図である。
【図９】本発明の実施形態における前側へのアダプタ挿入時を示す斜視図である。
【図１０】本発明の実施形態における前側へのアダプタ挿入後を示す斜視図である。
【図１１】本発明の実施形態における後側へのアダプタ挿入時を示す斜視図である。
【図１２】本発明の実施形態における後側へのアダプタ挿入後を示す斜視図である。
【図１３】本発明の実施形態の要部のうち底面を示す斜視図である。
【図１４】本発明の実施形態におけるアダプタ保持部材の連結時を示す斜視図である。
【発明を実施するための形態】
【００１８】
以下に本発明の好ましい実施形態を示す。
図１に示すように、余長収納トレイ等を搭載した光ファイバユニット１からは、図示しない光ファイバコードのコネクタが引き出されており、このコネクタと、さらに外部の光ファイバコードのコネクタとが、アダプタ２に挿入されることにより接続が行われる。さらに、このアダプタ２はアダプタ保持部材３によって保持されて、基板４に取付けられる。
【００１９】
前記アダプタ２は、図２のように外形を四角状としたアダプタ本体５の周縁のうち、上下板部６、６の外面の前後中央に対称となる位置に、取付鍔部７を突出形成したものである。なお、アダプタ２としては、取付鍔部７に形成したネジ挿通孔８を利用して、アダプタ２を単体で取付パネルの取付孔にネジ止めするものである既製品を、そのまま使用することができる。
【００２０】
前記アダプタ保持部材３は、図２に示すように、前後方向に開口しており、前後の開口部からアダプタ２が挿入されるものである。図２および図３のように、アダプタ保持部材３の内周面の上面および下面には、アダプタ２の取付鍔部７を挿入、保持するためのスライド挿入部９が上下対称に複数形成されている。前記スライド挿入部９は、取付鍔部７の前面と後面とをそれぞれ保持する２つの立上辺１０、１０と、両立上辺１０、１０間の空間部であり取付鍔部７を案内する溝部１１と、取付鍔部７の一側面を保持する立上止め辺１３と、挿入したアダプタ２の抜け止めとしての撓み部１２とからなり、それぞれがアダプタ保持部材３の上下面から垂直内側の方向に延びて形成されている。
【００２１】
したがって、アダプタ保持部材３にアダプタ２を取り付ける際には、図４および図５のようにアダプタ２をアダプタ保持部材３の前後方向に挿入し、取付鍔部７を撓み部１２に当接させる。次いで撓み部１２を押圧して撓ませて、取付鍔部７をアダプタ２の挿入方向に対して垂直となる方向、つまり本実施形態では左右方向にスライドさせることによって、スライド挿入部９に挿入する。取付鍔部７がスライド挿入部９に完全に挿入されると、撓み部１２の撓みが解除され、図６および図７に示す状態となり、これによってアダプタ２がアダプタ保持部材３に取付けられる。したがって、固定用のネジを使用することなくアダプタ２を基板４に取付けることが可能となるため作業性が向上し、また取付パネルが不要であることから取付部材の点数が減り、コストダウンが可能となる。さらに、コネクタの抜き差し作業によってアダプタ２がアダプタ保持部材３から外れることもなくなる。なお、取付鍔部７の高さが低い場合であっても、取付鍔部７を溝部１１にスライド挿入することで、前記スライド挿入部９に形成された２つの立上辺１０、１０によってアダプタ２を確実に保持することができる。
【００２２】
撓み部１２には、左右に切込部１４が形成されており、取付鍔部７によって撓み部１２が押圧されることにより、前後方向に撓むことを可能としている。さらに、撓み部１２の端部には、可動保持部１５が前後方向で、２つの立上辺１０、１０の距離間に突出して形成されている。したがって、アダプタ２の挿入後には２つの立上辺１０、１０と、立上止め辺１３と、可動保持部１５とによって取付鍔部７を保持することとなり、これにより、取付鍔部７の前面と、後面と、両側面との計４面を保持することが可能となり、より強固にアダプタ２をアダプタ保持部材３に固定することが可能となる。また、撓み部材１２を撓ませて可動保持部１５を２つの立上辺１０、１０の距離間外に移動させることで、取付鍔部７がスライド挿入部９への挿抜が可能となる。一方、立上辺１０の立上方向の端面が、アダプタ本体５の上面及び下面を上下方向に保持する構造としている。したがって、取付鍔部７の高さが低い場合であっても、アダプタ２を上下方向に保持することができる。さらに、取付鍔部７の高さが低い場合、撓み部１２は上下方向に撓むようにすることもでき、その際は、アダプタ保持部材３の垂直内側の方向の撓み部１２の端面が、取付鍔部７の上下方向の端面に押圧されることにより、上下方向に撓むことを可能にしている。なお、可動保持部１５の角部を傾斜面とすることにより、よりスムーズにアダプタ２をスライド挿抜させるものとすることもできる。
【００２３】
アダプタ２をアダプタ保持部材３から取外す際には、前記取付け手順と反対となる方向に、アダプタ２をスライドさせて行うものとする。
【００２４】
本実施形態においては、図９、および図１０のように前側に２つのアダプタ２を取り付けるための２箇所のスライド挿入部９を備え、また図１１、および図１２のように後側に３つのアダプタ２を取り付けるための３箇所のスライド挿入部を備えるものとした。これにより、アダプタ２の挿入方向を変更することにより、アダプタ２の取付数を変更することができ、１つのアダプタ保持部材３で２種類のアダプタ取付数とアダプタ取付間隔とを実現することができる。したがって、アダプタ保持部材３を垂直方向に段積みした際、下側のアダプタ２やコネクタの作業性が低下する場合には、アダプタ２の取付数および取付間隔を変更することによって十分な作業スペースを確保することができる。なお、前記スライド挿入部９の形成数は、これに限定されるものではない。
【００２５】
それぞれのスライド挿入部９は、立上辺１０と撓み部１２とによってアダプタ保持部材３の前後方向の略中央で仕切られている。これにより、アダプタ２の挿入方向によってアダプタ２の取付け位置が異なるものとなる。したがって、例えばアダプタ２と融着トレイ等の光ケーブルを配線する部材とが隣接しており、配線が困難な場合には、本発明のアダプタ保持部材３によりアダプタ２の取付位置を前後方向に変更できることから、より配線が容易となる位置にアダプタ２を取り付けることができる。
【００２６】
また、スライド挿入部９は、アダプタ保持部材３を水平方向に複数並列させた際に、全てのアダプタ２が等間隔で取付けられる位置に形成されることが望ましい。
【００２７】
図１３に示すように、アダプタ保持部材３の外側底面には、４つの脚部１６と突起部１７とが形成されており、また図１４に示すように、アダプタ保持部材３の外側上面には、他のアダプタ保持部材３の脚部１６がスライド挿入されるスライド挿入部１８と、突起部１７が嵌合する溝部１９とが形成されている。これにより、垂直方向にアダプタ保持部材３を複数連結する際には、脚部１６をスライド挿入部１８に挿入するとともに、突起部１７が撓むことにより、一方のアダプタ保持部材３を他方のアダプタ保持部材３に対してスライド挿入可能とすることができる。スライド挿入後は突起部１７の撓みが解除され溝部１９と嵌合することにより、２つのアダプタ保持部材３を垂直方向に連結することが可能となることから、専用の増設部材を用いることなくアダプタ２の取付数を増やすことが可能となる。また、アダプタ保持部材３の外側側面には、係止凸辺２０と、係止凹辺２１とを形成し、隣接するアダプタ保持部材３どうしを連結することにより、水平方向にアダプタ保持部材３を増設することもできる。
【符号の説明】
【００２８】
１  光ファイバユニット
２  アダプタ
３  アダプタ保持部材
４  基板
５  アダプタ本体
６  上下板辺
７  取付鍔部
８  ネジ挿通孔
９  スライド挿入部
１０  立上辺
１１  溝部
１２  撓み部
１３  立上止め辺
１４  切込部
１５  可動保持部
１６  脚部
１７  突起部
１８  スライド挿入部
１９  溝部
２０  係止凸辺
２１  係止凹辺
【図１】
2015040932.tif 000003
【図２】
2015040932.tif 000004
【図３】
2015040932.tif 000005
【図４】
2015040932.tif 000006
【図５】
2015040932.tif 000007
【図６】
2015040932.tif 000008
【図７】
2015040932.tif 000009
【図８】
2015040932.tif 000010
【図９】
2015040932.tif 000011
【図１０】
2015040932.tif 000012
【図１１】
2015040932.tif 000013
【図１２】
2015040932.tif 000014
【図１３】
2015040932.tif 000015
【図１４】
2015040932.tif 000016